(57)【特許請求の範囲】
【請求項１】
パチンコ球を貯留する皿部の底壁に球抜き口が設けられ、該球抜き口を開放および閉塞する開閉部材を備えたパチンコ機の球受皿において、
前記開閉部材を傾動自在に設けると共に、付勢部材により常に球抜き口を閉塞する上動位置に付勢し、該開閉部材の上動位置を係止保持する係止部材を設け、係止部材の係止状態を解除することで、パチンコ球の球重量により球抜き口を開成し、球重量からの解放により球抜き口を閉塞する位置に自動復帰させるようにしたことを特徴とするパチンコ機における球受皿の球抜き装置。
【請求項２】
前記係止部材は自重により開閉部材を係止する係止位置に復動するようにしたことを特徴とする請求項１記載のパチンコ機における球受皿の球抜き装置。
【発明の詳細な説明】
【０００１】
【発明の属する技術分野】
本発明は、パチンコ機における球受皿の球抜き装置に関するものである。
【０００２】
【従来の技術】
従来、球抜き孔を閉塞する開閉板を係止部材によって球抜き位置に係止し、押圧部材の押圧によってその係止を解除するようにした球受皿は知られている（例えば特公平３−５３９５４号公報参照）。
【０００３】
【発明が解決しようとする課題】
しかしながら、開閉板を係止部材によって球抜き位置に係止する従来の球受皿は、皿部にパチンコ球がない状態でも開閉板を摺動させると球抜き位置に係止保持してしまい、開閉板の停止状態を解除するためには必ず係止解除操作をしなければならなかった。このため、球受皿のパチンコ球の球抜きが終わっても解除操作をするのを忘れて、球受皿が球抜き状態に置かれたままとなり、次の遊技者に迷惑を及ぼしたり店員がいちいち解除操作をしなければならないという問題があった。
【０００４】
本発明は、従来の技術の有するこのような問題点に鑑みてなされたものであり、簡単な構造で、パチンコ球の球重量によりパチンコ球が抜取られるようにし、さらに球受皿のパチンコ球が抜取られると自動的に球抜き解除することができるパチンコ機における球受皿の球抜きを提供することを目的とするものである。
【０００５】
【課題を解決するための手段】
上記目的を達成するために、本発明は、パチンコ球を貯留する皿部の底壁に球抜き口が設けられ、該球抜き口を開放および閉塞する開閉部材を備えたパチンコ機の球受皿において、前記開閉部材を傾動自在に設けると共に、付勢部材により常に球抜き口を閉塞する上動位置に付勢し、該開閉部材の上動位置を係止保持する係止部材を設け、該係止部材を作用することにより係止状態が解除され、パチンコ球の球重量により球抜き口を開成し、球重量からの解放により球抜き口を閉塞する位置に自動復帰させるようにしたことを特徴とする。
【０００６】
また、前記係止部材を自重により開閉部材を係止する係止位置に復動するようにして、開閉部材を自動的に係止保持するようにした。
【０００７】
さらに、前記開閉部材の復動により前記係止部材を可動させるようにして、開閉部材が球抜き口を閉塞する上動位置に自動的に戻るようにした。具体的には係止部材の下面または開閉部材の上面を傾斜面にすることにより、開閉部材の上方への復動に伴って、係止部材を可動させるようにするのがよい。
【０００８】
前記した本発明によれば、皿部にパチンコ球が貯留されている状態で係止部材を操作して開閉部材との係合を解除すると、皿部のパチンコ球の球重量によって球抜き口を開成し球が抜ける。また、球抜き口から球が抜けて、皿部のパチンコ球の球重量から解放されると、付勢部材により開閉部材が球抜き口を閉塞する位置に自動復帰する。
【０００９】
なお、本発明のパチンコ機における球受皿は、パチンコ機の前面枠の前面に設けられる打球供給用の上部球受皿または上部球受皿の余剰球を貯留する下部球受皿のいずれにも適用可能である。
【００１０】
【発明の実施の形態】
以下に本発明の実施の形態を図面と共に説明する。図１はパチンコ機の正面図、図２は下部球受皿の斜視図、図３は下部球受皿の分解斜視図である。パチンコ機１の前面に額縁状の前面枠２が開閉自在に設けられ、該前面枠２にガラス扉枠３および前面板４が装着される。そして、ガラス扉枠３の後側に遊技盤５が設けられ、前記前面板４の前面には上部球受皿６が取付けられる。また、前面枠２の下方部前面には上部球受皿６の余剰球を貯留する下部球受皿７が装着されている。８は余剰球の球出口であり、該球出口８には筒状のガイド樋９が設けられている。
【００１１】
下部球受皿７は、図２および図３に示すように上部カバー体１０ａと下部カバー体１０ｂとで構成され、多量のパチンコ球を貯留する皿部１１を有し、該皿部１１の底壁１１ａに複数のパチンコ球が落下する球抜き口１２を開設しており、底壁１１ａは該球抜き口１２に向って傾斜している。１３は、上部カバー体１０ａと下部カバー体１０ｂとの間に装着される灰皿である。
【００１２】
前記底壁１１ａの下面には、前記球抜き口１２を開放または閉塞する板状の開閉部材１４が、付勢部材としての巻ばね１５を介して傾動自在に後端を軸支１４ａしており、前端に突出形成した係止片部１６を係止部材１７で係止することにより、球抜き口１２を閉塞している。１８は開閉部材１４の前端に設けられた球振分け突起である。
【００１３】
前記係止部材１７は、図４に示すように逆Ｌ字型に形成され、上部カバー体１０ａに突設した軸１９に回動自在に軸支される。そして、下端に前記係止片部１６が係止する係止部２０を設け、その下面に前記係止片部１６が摺動する傾斜面２１を約４５°の傾斜で形成し、軸支部の側方を操作部２２としている。該操作部２２には、重錘２３を装填して常に下向き回動するようにしている。２４は開閉部材１４の下動規制部であり、２５は係止部材１７の回動規制突起である。なお、係止部材１７は、開閉部材１４にパチンコ球の球重量等の荷重がかかっても、無用に回動しない軸支位置が選ばれる。
【００１４】
上記のように構成される下部球受皿７は、常には図６に示すように開閉部材１４が巻ばね１５の付勢により上動し、かつ係止部材１７が重錘２３により下向き回動して係止部２０が係止片部１６に係合して、球抜き口１２を閉塞しており、操作部２２を手で操作することによって係止片部１６と係止部２０の係合が解除され、開閉部材１４が下動し得るようになっている。そして、パチンコ球の球重量によって開閉部材１４が巻ばね１５の付勢に抗して下動すると、図６鎖線に示すように球抜き口１２が開成され球抜き可能な状態になる。
【００１５】
次に図面を参照して球受皿の球抜きの作用を説明する。通常皿部１１は図４および図６に示すように開閉部材１４が係止部材１７によって係止保持され球抜き口１２を閉塞している。この状態で操作部２２に指を掛けて上向き（操作部２２の矢印方向）に回動させると、図４鎖線に示すように係止部２０と係止片部１６との係合が解除される。そして、球抜き口１２に位置するパチンコ球の球重量によって開閉部材１４が巻ばね１５の付勢に抗して図６鎖線に示す下動規制部２４位置まで下動し球抜き口１２が開成され、皿部１１に貯留されたパチンコ球は下部球受皿７の下方に置かれる球箱Ｂに落下して抜き取られる。また、中央部のパチンコ球は球振分け突起１８により左右に振分けられながら球箱Ｂに落下する。このとき係止部材１７は、重錘２３により回動規制突起２５に規制された図４実線位置に復動している。
【００１６】
そして、皿部１１のパチンコ球が抜き取られると、開閉部材１４はパチンコ球の球重量から解放され、巻ばね１５の付勢により上動し、係止片部１６が係止部材１７の傾斜面２１を押圧することで、係止部材１７が図４鎖線のように回動する。さらに、係止片部１６が傾斜面２１を摺動し傾斜面２１との接触から外れると、開閉部材１４が図６に示す球抜き口１２を閉塞する位置に復動すると共に、係止部材１７が重錘２３により再度図４実線位置に復動し、係止部２０が係止片部１６に係合し開閉部材１４を球抜き口１２を閉塞する位置に係止保持する。
【００１７】
このように、一旦係止部材１７を操作して、係止部２０と係止片部１６の係合を解除すれば、係止部材１７から手を離しても、皿部１１にパチンコ球が有る限り開閉部材１４が下動して球抜き口１２を開成しており、皿部１１にパチンコ球が無くなり球抜きが終了すると自動的に球抜き口１２を閉塞して開閉部材１４を係止保持するので遊技者にとって好都合となる。また、皿部１１にパチンコ球が無い状態で誤って係止部材１７を操作しても開閉部材１４は付勢部材１５の付勢により下動することなく、しかも係止部材１７が重錘２３によりすぐに復動して開閉部材１４を係止保持するので、球抜き口１２を開放状態のまま放置されることはない。なお、上記実施の形態では開閉部材１４の係止片部１６が復動の際に、係止部材１７の下面に形成した傾斜面２１に接触することにより係止部材１７を可動させるようにしたが、図７に示すように係止片部１６の上面に傾斜凸部２１ａを形成して、図７鎖線に示すように該傾斜凸部２１ａにより係止部材１７を可動させるようにしてもよい。
【００１８】
【発明の効果】
以上説明したことから明らかなように、本発明におけるパチンコ機における球受皿の球抜き装置は、球抜き口を開閉する開閉部材を傾動自在に設け、皿部の球重量により開閉部材を球抜き口の開成状態に保持でき、しかも皿部の球重量から解放されると球抜き口の開成状態を自動的に解除するようにしたものであるから、わざわざ停止解除操作をする必要がなくなり、いたずらや不注意によって球受皿を球抜き状態に放置されるような事態を確実に防止することができる。
【図面の簡単な説明】
【図１】パチンコ機の正面図である。
【図２】下部球受皿の斜視図である。
【図３】下部球受皿の分解斜視図である。
【図４】下部球受皿の正面図である。
【図５】下部球受皿の平断面図である。
【図６】下部球受皿の側断面図である。
【図７】他の実施の形態の下部球受皿の要部正面図である。
【符号の説明】
６                上部球受皿
７                下部球受皿
１１              皿部
１１ａ            底壁
１２              球抜き口
１４              開閉部材
１５              巻ばね（付勢部材）
１７              係止部材
【図１】
0004393636.tif 000002
【図２】
0004393636.tif 000003
【図３】
0004393636.tif 000004
【図４】
0004393636.tif 000005
【図５】
0004393636.tif 000006
【図６】
0004393636.tif 000007
【図７】
0004393636.tif 000008